(57)【特許請求の範囲】
【請求項１】
版胴の外周面に装着されたスリーブ印刷版を、前記版胴から取り外すスリーブ印刷版の取り出し方法であって、
前記版胴は、外周面に向けてエアを噴出するエア供給手段を備えており、このエア供給手段から噴出したエアを、前記版胴の一方側から放出し、
前記版胴及び前記スリーブ印刷版の少なくとも一方には、前記版胴の他方側からのエアの漏れを抑制するエア漏れ抑制機構が設けられており、
前記版胴と前記スリーブ印刷版とが嵌合した装着状態で前記版胴の外周面と前記スリーブ印刷版の内周面とが接触する接触領域に対して、前記スリーブ印刷版の他方側端部を、前記接触領域よりも他方側に突出して配置し、
前記エア供給手段からエアを噴出するとともに、前記スリーブ印刷版と前記版胴との間から一方側へ向けてエアを放出させることで、前記スリーブ印刷版を前記版胴の他方側へと移送して取り出すことを特徴とするスリーブ印刷版の取り出し方法。
【請求項２】
請求項１に記載のスリーブ印刷版の取り出し方法であって、
前記エア漏れ抑制機構が、前記版胴の他方側に設けられ、他方側に向かうにしたがい漸次縮径するテーパ面であり、
前記スリーブ印刷版の前記他方側端部を、前記テーパ面に密着させることを特徴とするスリーブ印刷版の取り出し方法。
【請求項３】
請求項２に記載のスリーブ印刷版の取り出し方法であって、
前記テーパ面が前記接触領域よりも他方側に突出する長さｔが、０ｍｍ＜ｔ≦１５ｍｍの範囲であることを特徴とするスリーブ印刷版の取り出し方法。
【請求項４】
請求項１から請求項３のいずれか一項に記載のスリーブ印刷版の取り出し方法であって、
前記エア漏れ抑制機構が、前記スリーブ印刷版の他方側端部に設けられ、該他方側端部以外の部分よりも予め内径が一段小さく形成された小径部であることを特徴とするスリーブ印刷版の取り出し方法。
【請求項５】
請求項１から請求項４のいずれか一項に記載のスリーブ印刷版の取り出し方法であって、
前記版胴の外径ｄと前記スリーブ印刷版の内径Ｄとの比Ｄ／ｄが、０．９９０≦Ｄ／ｄ≦０．９９９の範囲内とされることを特徴とするスリーブ印刷版の取り出し方法。
【請求項６】
請求項４に記載のスリーブ印刷版の取り出し方法に用いられるスリーブ印刷版であって、
前記エア漏れ抑制機構を有し、
厚さが、０．２５ｍｍ〜０．８０ｍｍの範囲内とされていることを特徴とするスリーブ印刷版。
【請求項７】
請求項６に記載のスリーブ印刷版であって、
円筒状をなすスリーブ支持体と、該スリーブ支持体の外周側に配設される版本体と、を有し、前記スリーブ支持体と前記版本体とを合わせた合計厚さが、０．２５ｍｍ〜０．８０ｍｍの範囲内とされていることを特徴とするスリーブ印刷版。
【請求項８】
請求項４に記載のスリーブ印刷版の取り出し方法に用いられるスリーブ印刷版であって、
前記エア漏れ抑制機構を有し、
このスリーブ印刷版の重量Ｐが、内径Ｄに対して、Ｐ≦６．２５×Ｄ−５４０の関係を有するように構成されていることを特徴とするスリーブ印刷版。
【請求項９】
請求項４に記載のスリーブ印刷版の取り出し方法に用いられるスリーブ印刷版であって、
前記エア漏れ抑制機構を有し、
該エア漏れ抑制機構として、前記版胴に装着された状態において前記版胴の他方側に位置する部分に、内径が一段小さくされた小径部が形成されていることを特徴とするスリーブ印刷版。
【請求項１０】
請求項１から請求項５のいずれか一項に記載のスリーブ印刷版の取り出し方法に用いられる版胴であって、
この版胴には、前記スリーブ印刷版が装着されているとともに、
前記版胴と前記スリーブ印刷版とが嵌合した装着状態で前記版胴の外周面と前記スリーブ印刷版の内周面とが接触する前記接触領域よりも、前記スリーブ印刷版の他方側端部が、他方側に突出して配置され、
エア供給手段は、少なくとも前記外周面の他方側端部近傍からエアを噴出する構成とされていることを特徴とする版胴。
【請求項１１】
請求項１から請求項５のいずれか一項に記載のスリーブ印刷版の取り出し方法に用いられる版胴であって、
この版胴には、前記スリーブ印刷版が装着されているとともに、
前記版胴と前記スリーブ印刷版とが嵌合した装着状態で前記版胴の外周面と前記スリーブ印刷版の内周面とが接触する前記接触領域よりも、前記スリーブ印刷版の他方側端部が、他方側に突出して配置され、
この版胴の一方側が、印刷装置の駆動軸に軸支されるとともに、
その他方側に、他方側に向かうにしたがい漸次縮径するテーパ面が形成されていることを特徴とする版胴。
【請求項１２】
請求項１から請求項５のいずれか一項に記載のスリーブ印刷版の取り出し方法に用いられる印刷装置であって、
外周面に向けてエアを噴出するエア供給手段を備えた版胴と、版胴の外周面に装着されたスリーブ印刷版と、前記版胴の一方側を軸支する駆動軸と、を有し、
前記エア供給手段から噴出したエアを前記版胴の一方側から放出することにより、前記版胴の外周面に装着された前記スリーブ印刷版を、前記版胴の他方側へと移送して取り出す構成とされていることを特徴とする印刷装置。
【発明の詳細な説明】
【技術分野】
【０００１】
本発明は、円筒状をなすスリーブ印刷版を、駆動軸に軸支された版胴から取り出すためのスリーブ印刷版の取り出し方法、この方法に適したスリーブ印刷版、版胴及び印刷装置に関するものである。
【背景技術】
【０００２】
近年、印刷装置においては、駆動軸に軸支される版胴と、前記版胴の外周に装着されるスリーブ印刷版と、を備えたものが知られている。スリーブ印刷版は、通常、繊維強化プラスチック（ＦＲＰ）からなるスリーブ支持体と、このスリーブ支持体の外周面に設けられた版本体とを有し、版本体に印刷デザインの画像パターンが形成されている。
【０００３】
このようなスリーブ印刷版は、例えば特許文献１に記載されているように、フレキソ印刷、凸版印刷の分野において広く使用されている。また、特許文献２に記載されているように、缶等の円筒物に対するオフセット印刷の分野においても、このスリーブ印刷版が適用されている。
【０００４】
このスリーブ印刷版においては、画像パターンの周方向位置がその外周面上で予め設定されているので、スリーブ印刷版と版胴との位置合わせを行うことで画像パターンの見当合わせを簡便に行うことができる。このため、従来、板状のプレート印刷版を版胴の外周面に貼着して行っていた画像パターンの交換作業に要した時間と労力を大幅に削減することが可能となる。
【特許文献１】特開２００６−３２６９３８号公報
【特許文献２】特開２００６−２７２６８２号公報
【発明の開示】
【発明が解決しようとする課題】
【０００５】
ところで、スリーブ印刷版においては、スリーブ印刷版の内径が版胴の外径よりも僅かに小さくされており、版胴の外周面に設けられたエア孔からエアを噴出してスリーブ印刷版を拡径させて版胴に嵌着している。つまり、スリーブ印刷版と版胴とが嵌合することで強固に固定されているのである。
【０００６】
ここで、印刷終了後には、スリーブ印刷版をエアによって拡径して取り外すことになるが、一般に、スリーブ印刷版の厚さは１．５ｍｍ程度に設定されていて剛性が比較的高く、さらに印刷後はスリーブ印刷版と版胴とが比較的強固に密着した状態となるため、取り外し作業に多くの労力と時間を要していた。
【０００７】
また、スリーブ印刷版を版胴から取り外す際には、スリーブ印刷版の軸線方向全体が版胴に装着されていることから、スリーブ印刷版の外周面を把持する必要があり、画像パターンを傷付けたり、変形させたりしてしまう虞があった。
【０００８】
本発明は、前述の事情に鑑みてなされたものであって、印刷精度を十分に確保し、版胴に装着されたスリーブ印刷版を簡便に取り外すことができるスリーブ印刷版の取り出し方法、この方法に適したスリーブ印刷版、版胴及び印刷装置を提供することを目的とする。
【課題を解決するための手段】
【０００９】
前記目的を達成するために、本発明は以下の手段を提案している。
すなわち本発明は、版胴の外周面に装着されたスリーブ印刷版を、前記版胴から取り外すスリーブ印刷版の取り出し方法であって、前記版胴は、外周面に向けてエアを噴出するエア供給手段を備えており、このエア供給手段から噴出したエアを、前記版胴の一方側から放出し、前記版胴及び前記スリーブ印刷版の少なくとも一方には、前記版胴の他方側からのエアの漏れを抑制するエア漏れ抑制機構が設けられており、前記版胴と前記スリーブ印刷版とが嵌合した装着状態で前記版胴の外周面と前記スリーブ印刷版の内周面とが接触する接触領域に対して、前記スリーブ印刷版の他方側端部を、前記接触領域よりも他方側に突出して配置し、前記エア供給手段からエアを噴出するとともに、前記スリーブ印刷版と前記版胴との間から一方側へ向けてエアを放出させることで、前記スリーブ印刷版を前記版胴の他方側へと移送して取り出すことを特徴とする。
【００１０】
本発明に係るスリーブ印刷版の取り出し方法によれば、エア供給手段によって外周面から噴出されたエアを版胴の一方側から放出することにより、このエアの放出の運動エネルギーの反作用によってスリーブ印刷版を版胴の他方側に向けて移送して取り出すことができる。
このように、エアの放出の運動エネルギーを利用してスリーブ印刷版を版胴に対して相対移動して取り外せるので、スリーブ印刷版の取り外し作業に掛かる労力を大幅に軽減することができる。また、スリーブ印刷版の外周面を強く把持する必要がなくなり、スリーブ印刷版の外周面に配された画像パターンの損傷や変形を防止することができる。
【００１１】
また、前記版胴及び前記スリーブ印刷版の少なくとも一方には、前記版胴の他方側からのエアの漏れを抑制するエア漏れ抑制機構が設けられているので、エア供給手段によって版胴の外周側から噴出されたエアが、版胴の他方側から漏れ出すことが抑止され、エアが版胴の一方側から確実に放出されることになり、スリーブ印刷版を版胴の他方側に向けて移送して取り出すことができる。
【００１２】
前記エア漏れ抑制機構を、前記版胴の他方側に設けられ、他方側に向かうにしたがい漸次縮径するテーパ面とし、前記スリーブ印刷版の前記他方側端部を、前記テーパ面に密着させることが好ましい。
この場合、スリーブ印刷版のうちテーパ面の部分に位置する部分が拡径されなくなって、テーパ面とスリーブ印刷版の内周面とが密着することになる。これにより、エアの前記版胴の他方側からの漏れを抑制することができる。
また、前記テーパ面が前記接触領域よりも他方側に突出する長さｔが、０ｍｍ＜ｔ≦１５ｍｍの範囲であることが好ましい。
【００１３】
また、前記エア漏れ抑制機構を、前記スリーブ印刷版の他方側端部に設けられ、該他方側端部以外の部分よりも予め内径が一段小さく形成された小径部とすることが好ましい。
この場合、前記版胴に装着された前記スリーブ印刷版の他方側に設けられた小径部が版胴の外周面に密着することになり、エアの前記版胴の他方側からの漏れを抑制することができる。
【００１４】
さらに、前記版胴の外径ｄと前記スリーブ印刷版の内径Ｄとの比Ｄ／ｄが、０．９９０≦Ｄ／ｄ≦０．９９９の範囲内とされることが好ましい。
この場合、版胴の外径ｄに対するスリーブ印刷版の内径Ｄの比Ｄ／ｄが０．９９０以上に設定されているので、スリーブ印刷版を版胴に装着する際に、該スリーブ印刷版の外周面に設けられる画像パターンが大きく伸展するようなことが防止される。従って、印刷精度が十分に確保される。
【００１５】
また、版胴の外径ｄに対するスリーブ印刷版の内径Ｄの比が０．９９９以下に設定されているので、スリーブ印刷版の内周面と版胴の外周面とが十分に密着して固定される。これにより、印刷時の印圧等によりこれらスリーブ印刷版と版胴とが相対的に移動してしまうことが防止される。
【００１６】
本発明に係るスリーブ印刷版は、前述のスリーブ印刷版の取り出し方法に用いられるスリーブ印刷版であって、前記エア漏れ抑制機構を有し、厚さが、０．２５ｍｍ〜０．８０ｍｍの範囲内とされていることを特徴とする。
この場合、厚さが０．８０ｍｍ以下とされているので、スリーブ印刷版が十分に柔軟性を有しており、エアによって拡径して版胴への着脱を容易に行うことができる。
また、厚さが０．２５ｍｍ以上とされているので、スリーブ印刷版の剛性が確保され、スリーブ印刷版を版胴に装着した際に画像パターンが大きく伸展してしまうことがなく、印刷精度を向上させることができる。
【００１７】
ここで、本発明のスリーブ印刷版は、円筒状をなすスリーブ支持体と、該スリーブ支持体の外周側に配設される版本体と、を有し、前記スリーブ支持体と前記版本体とを合わせた合計厚さが、０．２５ｍｍ〜０．８０ｍｍの範囲内としたものであってもよい。
この場合、スリーブ支持体によって、スリーブ印刷版の剛性が確保されるとともに、版本体によってインキ付着性が確保されることになり、印刷作業を良好に行うことができる。
【００１８】
また、本発明のスリーブ印刷版は、前述のスリーブ印刷版の取り出し方法に用いられるスリーブ印刷版であって、前記エア漏れ抑制機構を有し、このスリーブ印刷版の重量Ｐが、内径Ｄに対して、Ｐ≦６．２５×Ｄ−５４０の関係を有するように構成されていることを特徴としている。
版胴の外周面から噴出されたエアを版胴の一方側から放出する際の放出面積は、スリーブ印刷版の内径Ｄに大きく依存することになる。ここで、スリーブ印刷版自体の重量Ｐを内径Ｄに対してＰ≦６．２５×Ｄ−５４０の関係となるように設定することにより、版胴の一方側から放出されるエアによってスリーブ印刷版を版胴の他方側に確実に移送することができる。
【００１９】
また、本発明のスリーブ印刷版は、前述のスリーブ印刷版の取り出し方法に用いられるスリーブ印刷版であって、前記エア漏れ抑制機構を有し、該エア漏れ抑制機構として、前記版胴に装着された状態において前記版胴の他方側に位置する部分に、内径が一段小さくされた小径部が形成されていることを特徴とする。
この場合、前記版胴に装着された状態において前記版胴の他方側に位置する部分に設けられた小径部を版胴の外周面に密着させることにより、版胴の他方側からのエアの漏れを抑制することができる。
【００２０】
また、本発明の版胴は、前述のスリーブ印刷版の取り出し方法に用いられる版胴であって、この版胴には、前記スリーブ印刷版が装着されているとともに、前記版胴と前記スリーブ印刷版とが嵌合した装着状態で前記版胴の外周面と前記スリーブ印刷版の内周面とが接触する前記接触領域よりも、前記スリーブ印刷版の他方側端部が、他方側に突出して配置され、エア供給手段は、少なくとも前記外周面の他方側端部近傍からエアを噴出する構成とされていることを特徴としている。
この場合、エア供給手段が少なくとも前記外周面の他方側端部近傍からエアを噴出する構成とされているので、スリーブ印刷版を版胴の他方側から装着する際に、エアによって拡径することができる。
【００２１】
また、本発明の版胴は、前述のスリーブ印刷版の取り出し方法に用いられる版胴であって、この版胴には、前記スリーブ印刷版が装着されているとともに、前記版胴と前記スリーブ印刷版とが嵌合した装着状態で前記版胴の外周面と前記スリーブ印刷版の内周面とが接触する前記接触領域よりも、前記スリーブ印刷版の他方側端部が、他方側に突出して配置され、この版胴の一方側が印刷装置の駆動軸に軸支され、その他方側に、他方側に向かうにしたがい漸次縮径するテーパ面が形成されていることを特徴とする。
この場合、テーパ面の外周側にスリーブ印刷版を位置させることにより、テーパ面とスリーブ印刷版の内周面とを密着させ、版胴の他方側からのエアの漏れを抑制することができる。
【００２２】
本発明の印刷装置は、前述のスリーブ印刷版の取り出し方法に用いられる印刷装置であって、外周面に向けてエアを噴出するエア供給手段を備えた版胴と、版胴の外周面に装着されたスリーブ印刷版と、前記版胴の一方側を軸支する駆動軸と、を有し、前記エア供給手段から噴出したエアを前記版胴の一方側から放出することにより、前記版胴の外周面に装着された前記スリーブ印刷版を、前記版胴の他方側へと移送して取り出す構成とされていることを特徴とする。
【００２３】
本発明に係る印刷装置によれば、印刷版胴のスリーブ印刷版の取り外し作業が短時間で簡便に行えるので、作業者の労力を軽減でき、次の印刷までの準備時間が短縮できる。よって、印刷の生産性が向上する。
【発明の効果】
【００２４】
本発明によれば、印刷精度を十分に確保し、版胴に装着されたスリーブ印刷版を簡便に取り外すことができるスリーブ印刷版の取り出し方法、この方法に適したスリーブ印刷版、版胴及び印刷装置を提供することができる。
【発明を実施するための最良の形態】
【００２５】
以下、図面を参照し、この発明の実施の形態について説明する。
図１は本発明の第１の実施形態に係るスリーブ印刷版の取り外し方法に用いられる版胴の概略構成を示す正面図及び側断面図、図２は版胴とスリーブ印刷版の概略構成を示す分解斜視図、図３は版胴にスリーブ印刷版を装着する手順を説明する部分側断面図、図４は本発明の第１の実施形態に係るスリーブ印刷版の取り外し方法の手順を説明する部分側断面図、図５はスリーブ印刷版の取り外し方法に用いられる缶の印刷装置を示す概略図である。
【００２６】
版胴とスリーブ印刷版は、飲料缶等を印刷の対象とする缶の印刷装置に配設され、印刷装置の印刷の種類としては、凸版印刷、例えばオフセット印刷若しくは低印圧で印刷可能なフレキソ印刷が採用されている。また、この版胴は、印刷時の回転数が例えば８００ｒｐｍ以下に設定される。
【００２７】
図１（ａ），（ｂ）に示すように、版胴１は、例えば鋼材などで構成され、略円柱状又は略円筒状に形成されている。版胴１には、その軸線Ｃ方向の一方側（図１（ｂ）における左側）の端面１ａから他方側（図１（ｂ）における右側）の端面１ｂに向かうに従い漸次縮径する切頭円錐孔状のテーパ孔１１が貫通して形成されている。テーパ孔１１は、その中心軸が版胴１の軸線Ｃと同軸に配置されている。
【００２８】
また印刷装置には、テーパ孔１１に対応するテーパ状若しくは切頭円錐状からなり、駆動モータ等により回転駆動する駆動軸Ｓが設けられている。そして、駆動軸Ｓを版胴１の一方側から他方側に向かってテーパ孔１１に挿入し版胴１に一体に固定して、版胴１が軸線Ｃ周りに回転駆動されるようになっている。すなわち、版胴１は、その一方側を駆動軸Ｓによって片持ち状態で軸支されているのである。
【００２９】
また、版胴１のテーパ孔１１よりも径方向外方には、略円筒孔状若しくは略リング孔状のエア室１２が設けられており、このエア室１２の他方側端部には、軸線Ｃ方向に延び端面１ｂに連通するエア供給孔１３が設けられている。また、版胴１の他方側の端部近傍には、テーパ孔１１及びエア供給孔１３を囲む略リング孔状のエア流通溝１４が設けられている。エア流通溝１４は、版胴１の径方向に穿設された供給路１５によってエア供給孔１３と連通している。またエア流通溝１４は、版胴１の他方側端部近傍の外周に周方向均等に配置され径方向に延びる複数のエア孔１７ａに連通している。また、エア室１２と版胴１の外周とを連通し径方向に延びる複数のエア孔１７ｂが設けられている。
【００３０】
また、版胴１は、一方側端部近傍の外周に、径方向に出没可能な略円柱状のピン部材１８を備えている。ピン部材１８は、例えばその先端部分に雄ネジ加工が施されており、また版胴１には、各々のピン部材１８に対応する位置に雌ネジ孔（不図示）が施されている。
【００３１】
また、版胴１は、その軸線Ｃ方向の外形長さＬに対する外径ｄの比が、ｄ／Ｌ＝０．２〜２．０の範囲に設定される。尚、前記比が、ｄ／Ｌ＝１．０に設定されるのがより望ましい。
【００３２】
また、図２（ａ），（ｂ）に示すように、版胴１に装着されるスリーブ印刷版２は、繊維強化プラスチック（ＦＲＰ）又はポリエチレンテレフタレート（ＰＥＴ）樹脂からなるスリーブ支持体２ａとスリーブ支持体２ａの外周側に配設された版材２ｂとを備えており、この版材２ｂに、画像パターンを有する凸版２２が形成されている。
ここで、スリーブ印刷版２の厚さ（スリーブ支持体２ａと版材２ｂとの合計厚さ）は、０．２５ｍｍ〜０．８ｍｍの範囲に設定されており、より好ましくは、０．２５ｍｍ〜０．５ｍｍの範囲に設定されている。
さらに、このスリーブ印刷版２は、その重量Ｐが、内径Ｄに対して、Ｐ≦６．２５×Ｄ−５４０の関係を有するように構成されている。
【００３３】
また、スリーブ印刷版２の内径Ｄは、版胴１の外径ｄより僅かに小さく設定されており、版胴１の外径ｄに対するスリーブ印刷版２の内径Ｄの比Ｄ／ｄが０．９９０〜０．９９９の範囲に設定されている。また、スリーブ印刷版２の軸線Ｃ方向の外形長さは、８７ｍｍ〜４００ｍｍの間に設定され、版胴１の外形長さＬよりも若干長く設定されている。
【００３４】
また、これらスリーブ印刷版２と版胴１とは、軸線Ｃ方向に相対的にスライドして嵌め合わされるようになっている。また、版胴１に装着したスリーブ印刷版２を取り外すことも可能とされている。すなわちスリーブ印刷版２は、版胴１に着脱可能とされている。
【００３５】
スリーブ印刷版２を版胴１に装着した際に、版胴１の一方側（図２における左側）に位置する端部には、版胴１のピン部材１８に対応する位置に切り欠き部２１が設けられている。切り欠き部２１は、その幅がピン部材１８の直径と同一若しくは僅かに大きく形成されていて、ピン部材１８に嵌め合わされた際に、スリーブ印刷版２の版胴１に対する一方側への相対移動を規制するとともに、版胴１とスリーブ印刷版２とを周方向に互いに精度よく位置決めするようになっている。
【００３６】
スリーブ印刷版２を版胴１に装着するには、まず、図３（ａ）に示すように、スリーブ印刷版２の一方側（図３における左側）を版胴１の他方側（図３における右側）に配置する。次いで図３（ｂ）に示すように、スリーブ印刷版２の一方側端部近傍を拡径して、その内周を版胴１の他方側端部近傍の外周に被せる。この状態で、コンプレッサ等を用いて版胴１のエア供給孔１３からエアを供給すると、図１に示すようにエア供給孔１３から供給路１５及びエア流通溝１４を介してエア孔１７ａからエアが噴出され、またエア供給孔１３からエア室１２を介してエア孔１７ｂからエアが噴出される。
【００３７】
このようにエア孔１７ａ，１７ｂからエアが噴出した状態で、図３（ｃ）に示すように、スリーブ印刷版２の一方側端部近傍が版胴１のエア孔１７ａを覆う位置まで該スリーブ印刷版２を一方側へと移動させる。スリーブ印刷版２の内周がエア孔１７ａを覆うと、該スリーブ印刷版２の内周と版胴１の外周との間に噴出されたエアの圧力によって、柔軟なスリーブ印刷版２が拡径させられる。
【００３８】
このようにスリーブ印刷版２が拡径するとスリーブ印刷版２の内周面と版胴１の外周面との摩擦抵抗が顕著に低減するので、スリーブ印刷版２の版胴１に対する軸線Ｃ方向の相対移動が容易に行えるようになる。この状態で、作業者がスリーブ印刷版２を版胴１に対し軸線Ｃ方向一方側へと押し込んで相対移動させていくと、図３（ｄ）に示すように、スリーブ印刷版２の一方側近傍がエア孔１７ｂを覆うとともに、エア１７ｂから噴出するエアの圧力によって拡径する。
【００３９】
そして、スリーブ印刷版２の切り欠き部２１が版胴１のピン部材１８に嵌め合わされる位置まで該スリーブ印刷版２を一方側へ移動させると、それ以上の一方側への移動が規制される。この状態でエアの供給を停止すると、スリーブ印刷版２が元の内径に戻ろうと変形し、図３（ｅ）に示すように、スリーブ印刷版２の内周面と版胴１の外周面とが強く密着して強固に固定される。
【００４０】
なお、図３（ｅ）における符号Ｔは、版胴１の外周面とスリーブ印刷版２の内周面とが密着するように接触する接触領域を示しており、このように版胴１とスリーブ印刷版２とが嵌合した装着状態において、スリーブ印刷版２の他方側端部は、接触領域Ｔの他方側端部よりも他方側に突出して配置されるとともに、その内径が版胴１の外径よりも一段小さくされている。
【００４１】
次に、本実施形態であるスリーブ印刷版の取り外し方法について説明する。
印刷後、スリーブ印刷版２を版胴１から取り外すには、まず、図４（ａ）に示すように、エア孔１７ａ，１７ｂからエアを噴出させる。エアを噴出させると、図４（ｂ）に示すように、スリーブ印刷版２がエアの圧力により拡径する。ここで、スリーブ印刷版２の他方側に突出する端部は、その内径が版胴１の外径よりも一段小さくされており、図４（ａ）に示す接触領域Ｔよりも他方側の端部において、これらスリーブ印刷版２の内周面と版胴１の端面１ｂ近傍の外周面とが密着するように接触して、この接触する部分によってエアが他方側に漏れ出さないように構成されている。
【００４２】
エア孔１７ａ，１７ｂから噴出されたエアは、スリーブ印刷版２を拡径させつつ軸線Ｃ方向一方側へと流れていき、スリーブ印刷版２及び版胴１の一方側端部から外部へと放出される。図４（ｂ），（ｃ）に示すように、エアが一方側へ向け放出されると、このエアの放出の運動エネルギーの反作用によって、スリーブ印刷版２が版胴１の他方側に向けて移送されることになる。
【００４３】
次いで、図４（ｄ）に示すように、スリーブ印刷版２の一方側端部が版胴１のエア孔１７ａを超えて他方側へ移動すると、拡径されていたスリーブ印刷版２が元の内径に戻り、その一方側端部近傍の内周面を版胴１の他方側端部近傍の外周に密着させ、スリーブ印刷版２のそれ以上の軸線Ｃ方向他方側への移動が停止する。次いで、作業者は、図４（ｅ）に示すように、スリーブ印刷版２を版胴１から取り外す。
【００４４】
次に、本実施形態のこのような版胴１及びスリーブ印刷版２を用いた缶の印刷装置５０について説明する。
図５に示すように、この缶の印刷装置５０は、インキ付着機構５１と、缶移動機構５２とを有している。
インキ付着機構５１は、印刷される各色それぞれに設けられる複数のインカーユニット５５と、各インカーユニット５５から転写されたインキをサイズコート膜が形成された略円筒状のワーク（缶）５６の外周面（缶胴）に転写するブランケットホイール５７とを備えている。
【００４５】
インカーユニット５５は、印刷される色のインキが充填されたインキ源６１と、インキ源６１と接触してインキを受け取るダクティングローラ６２と、ダクティングローラ６２からゴムローラ６３にインキを受け渡す複数のローラからなる中間ローラ６４と、ゴムローラ６３に接触するスリーブ印刷版２が装着された版胴１とを有する。また、版胴１は、缶の印刷装置５０の駆動軸Ｓに回転可能に支持されている。
また、ブランケットホイール５７の外周面には、版胴１に装着されたスリーブ印刷版２の凸版２２と接触するブランケット６６が複数枚設けられている。
【００４６】
また、缶移動機構５２は、ワーク５６を取り入れる缶シュータ６７と、缶シュータ６７から供給されたワーク５６を回転自在に保持するマンドレル６８と、このマンドレル６８に装着されたワーク５６を順次インキ付着機構５１方向に回転移動させるマンドレルターレット６９とを備える。
【００４７】
缶の印刷装置５０では、各インカーユニット５５のインキ源６１からそれぞれ異なる色のインキが、ダクティングローラ６２、中間ローラ６４及びゴムローラ６３を介してスリーブ印刷版２の外周面の凸版２２に付着する。そして、各インキが、これら画像パターン２２から回転するブランケットホイール５７上のブランケット６６にパターンとして乗せられ、このパターンがマンドレル６８に保持されたワーク５６の缶胴に接触しながら印刷される。そして、これら各色のインキのパターンが重なり合って、缶胴に１つの図柄が印刷されるようになっている。すなわち、缶胴に印刷される図柄は、各色の版胴１に装着されたスリーブ印刷版２の凸版２２の各パターンが重なり合って形成されている。
【００４８】
以上説明したように、本実施形態であるスリーブ印刷版２の取り出し方法によれば、版胴１のエア孔１７ａ，１７ｂから噴出したエアを、版胴１及びスリーブ印刷版２の軸線Ｃ方向一方側から放出しているので、このエアの放出の運動エネルギーの反作用によって、スリーブ印刷版２を版胴１の他方側に向けて移送して取り出すことができる。このように、スリーブ印刷版２を版胴１に対して相対移動させて取り外すので、スリーブ印刷版２の取り外し作業に掛かる労力を大幅に軽減することができる。また、スリーブ印刷版２の外周面を強く把持する必要がなくなり、スリーブ印刷版２の外周面に配された凸版２２の損傷や変形を防止することができる。
【００４９】
また、スリーブ印刷版２のうち版胴１との接触領域Ｔよりも他方側に突出した部分の内径が、版胴１の外径よりも小さくされていて版胴１に密着させられているので、エア孔１７ａ，１７ｂから噴出したエアが軸線Ｃ方向他方側から漏れ出すことが抑制される。これにより、エアが一方側から確実に放出され、スリーブ印刷版２を他方側へと移送して取り外すことができる。
【００５０】
また、版胴１の外径ｄとスリーブ印刷版２の内径Ｄとの比Ｄ／ｄが０．９９０以上とされているので、スリーブ印刷版２を版胴１に装着する際に、スリーブ印刷版２に設けられた凸版２２が変形することがなく、印刷精度を十分に確保することができる。また、版胴１の外径ｄとスリーブ印刷版２の内径Ｄとの比Ｄ／ｄが０．９９９以下とされているので、スリーブ印刷版２の内周面と版胴１の外周面とが十分に密着して固定される。これにより、印刷時の印圧等によりこれらスリーブ印刷版２と版胴１とが相対的に移動してしまうことがない。
【００５１】
また、スリーブ印刷版２が、円筒状をなすスリーブ支持体２ａと、このスリーブ支持体２ａの外周側に配設される版材２ｂと、を有し、スリーブ支持体２ａと版材２ｂとを合わせた合計厚さが、０．２５ｍｍ〜０．８０ｍｍの範囲内とされ、より好ましくは、０．２５ｍｍ〜０．５ｍｍの範囲に設定されているので、スリーブ印刷版２が十分に柔軟性を有することになり、エアによって拡径して版胴１への着脱を容易に行うことができるとともに、スリーブ印刷版２の剛性が確保されてスリーブ印刷版２を版胴１に装着した際に凸版２２が大きく変形してしまうことがない。また、スリーブ支持体２ａによってスリーブ印刷版２の剛性が確保されるとともに、版材２ｂによってインキ付着性が確保されることになり、印刷作業を良好に行うことができる。
【００５２】
さらに、スリーブ印刷版２の重量Ｐが、その内径Ｄに対して、Ｐ≦６．２５×Ｄ−５４０の関係を有するように構成されているので、版胴１の一方側から放出されるエアによってスリーブ印刷版２を版胴１の他方側に確実に移送することができる。
【００５３】
また、版胴１の外周からエアを噴出させるエア孔１７ａが、版胴１の軸線Ｃ方向他方側の端部近傍に配されているので、スリーブ印刷版２を版胴１に装着する場合、装着作業の初期段階からエアがスリーブ印刷版２の内周に圧力を加えて拡径させ、スリーブ印刷版２と版胴１との相対移動が容易に行える。また、装着したスリーブ印刷版２を版胴１から取り外す場合にも、スリーブ印刷版２と版胴１との相対移動が作業の終了間際まで容易に行えるので、着脱作業が作業者に労力を要することなく簡便に行える。
【００５４】
また、版胴１の軸線Ｃ方向の外形長さＬに対する版胴１の外径ｄの比が、ｄ／Ｌ＝０．２以上とされているので、版胴１に装着したスリーブ印刷版２をエアを用いて拡径させ、版胴１に対し軸線Ｃ方向に相対移動させ簡便に取り外すことができる。さらに、版胴１の軸線Ｃ方向の外形長さＬに対する版胴１の外径ｄの比が、ｄ／Ｌ＝２．０以下とされているので、スリーブ印刷版２の外周面に形成される凸版２２の領域を十分に確保できる。
【００５５】
また、版材２ｂがスリーブ印刷版２の変形に対して十分な柔軟性を有する樹脂材料で構成されているので、スリーブ印刷版２がエアで伸縮しても、版材２ｂが剥がれたり、凸版２２が変形したりすることがなく、印刷の精度が確保されている。また、版材２ｂがスリーブ印刷版２の拡径、縮径等の変形を妨げることが防止される。
【００５６】
また、本実施形態の缶の印刷装置５０によれば、版胴１からのスリーブ印刷版２の取り外し作業が短時間で簡便に行えるので、作業者の労力を軽減でき、次の印刷までの準備時間が短縮できる。よって、印刷の生産性が向上する。
【００５７】
次に、本発明の第２の実施形態について説明する。
図６は本発明の第２の実施形態に係るスリーブ印刷版の取り外し方法に用いられる版胴とスリーブ印刷版の軸線Ｃ方向の他方側端部近傍の概略構成を示す部分側断面図である。
尚、前述の第１の実施形態と同一部材には同一の符号を付し、その説明を省略する。
【００５８】
図６（ａ）に示すように、第２の実施形態の版胴３１は、軸線Ｃ方向の他方側（図６における右側）の端部近傍の外周が、一方側（図６における左側）から他方側に向かうに連れ漸次縮径するように傾斜するテーパ面１ｃとされている。また、版胴３１の外周にはスリーブ印刷版３２が嵌め合わされるようになっており、図６（ａ）は、版胴３１にスリーブ印刷版３２が装着された状態を示している。
【００５９】
このように版胴３１にスリーブ印刷版３２が装着された状態で、スリーブ印刷版３２の他方側の端部は、版胴３１の他方側端面１ｂと軸線Ｃ方向の略同一位置に配置される。また、スリーブ印刷版３２の他方側端部は、スリーブ印刷版３２の内周面と版胴３１の外周面との接触領域Ｔの他方側端部よりも他方側に突出して配置されている。ここで、スリーブ印刷版３２の他方側端部は、元の内径に復元しようとしてテーパ面１ｃに密着している。
【００６０】
また、版胴３１のテーパ面１ｃの軸線Ｃ方向の長さｔは、０ｍｍ＜ｔ≦１５ｍｍの範囲に設定されている。また、テーパ面１ｃの一方側端部からエア孔１７ａの孔中心までの距離ｍは、３ｍｍ≦ｍ≦１０ｍｍの範囲に設定されている。
【００６１】
このように構成された版胴３１からスリーブ印刷版３２を取り外す際には、版胴３１のエア孔１７ａからエアを噴射させると、図６（ｂ）に示すように、スリーブ印刷版３２はその接触領域Ｔの他方側端部よりも一方側の部分が拡径させられる。ここで、スリーブ印刷版３２の他方側端部がテーパ面１ｃに密着しており、エアが版胴３１及びスリーブ印刷版３２の軸線Ｃ方向他方側から漏れ出すことがないように構成されている。すなわち、前述したテーパ面１ｃが、本実施形態におけるエア漏れ抑制機構とされているのである。
【００６２】
エア孔１７ａから噴出されたエアはスリーブ印刷版３２を拡径させつつ軸線Ｃ方向一方側へと流れ、版胴３１及びスリーブ印刷版３２の一方側端部から外部へと放出される。エアが一方側へ向け放出されると、このエアの放出の運動エネルギーの反作用によって、スリーブ印刷版２を版胴３１の他方側に向けて移送して取り出すことができる。
【００６３】
以上説明したように、本実施形態のスリーブ印刷版の取り外し方法によれば、前述の第１の実施形態と同様の効果を奏するとともに、下記のような効果を有している。
すなわち、版胴３１の軸線Ｃ方向他方側端部に、版胴３１の他方側からのエアの漏れを抑制するエア漏れ抑制機構としてテーパ面１ｃが形成されているので、エアを確実に軸線Ｃ方向一方側に向けて放出することが可能となる。
【００６４】
また、版胴３１のテーパ面１ｃの軸線Ｃ方向の長さｔが、ｔ＝１５ｍｍ以下とされているので、スリーブ印刷版３２の凸版２２を配置することのできないテーパ面１ｃに対応した部分を狭小に形成でき、その分、凸版２２の領域を拡げられるので、印刷の領域が十分に確保される。
【００６５】
また、版胴３１のテーパ面１ｃの一方側端部からエア孔１７ａの孔中心までの距離ｍが、ｍ＝３ｍｍ以上とされているので、スリーブ印刷版３２を取り外す際、エア孔１７ａから噴出したエアの他方側からの漏れを確実に防止することができる。また、距離ｍが、ｍ＝１０ｍｍ以下とされているので、スリーブ印刷版３２を版胴３１に装着する際、装着作業の初期段階からエアによってスリーブ印刷版３２を拡径させることができる。
【００６６】
尚、本発明は前述の実施形態に限定されるものではなく、本発明の趣旨を逸脱しない範囲において種々の変更を加えることが可能である。
例えば、第２の実施形態において、エア漏れ抑制機構としてテーパ面を設けたものとして説明したが、これに限定されることはなく、図７（ａ）〜（ｃ）に示すように、スリーブ印刷版２のうち版胴に装着された際に軸線Ｃ方向他方側となる部分に、一段内径が小さくされた小径部２５を設けてもよい。例えば図７（ａ）のように、スリーブ印刷版２の端部を折り曲げた折り曲げ部２５ａを小径部２５としてもよい。また、図７（ｂ）のように、スリーブ印刷版２の端部の内周面に環状突起部２５ｂを設けて小径部２５としてもよい。さらに、図７（ｃ）に示すように、スリーブ印刷版２の端部に径の小さな絞り部２５ｃを設けて小径部２５としてもよい。
【００６７】
また、本実施形態ではスリーブ印刷版２，３２をＦＲＰ又はＰＥＴ樹脂からなるものとして説明したが、これに限らず、柔軟性を有するそれ以外の樹脂材料等により形成しても構わない。また、スリーブ印刷版２，３２の厚さも、前述の範囲に限定されるものではない。
また、版胴１，３１の外径ｄに対するスリーブ印刷版２，３２の内径Ｄの比Ｄ／ｄは、前述の範囲に限定されるものではない。
また、本実施形態では、スリーブ支持体２ａの外周側に設けられた版材２ｂに対してレーザー加工等を施すことで凸版２２を形成したものとして説明したが、これに限らず、例えば感光性樹脂等を用いて形成した凸版２２をスリーブ支持体２ａの外周面に貼着しても構わない。
【実施例１】
【００６８】
以下、本発明を実施例により具体的に説明する。ただし本発明はこれら実施例に限定されるものではない。
【００６９】
[本発明例１]
まず、版胴として、鋼材等からなり、外径Ｄがφ１９０ｍｍに形成されるものを用意した。また、版胴の軸線Ｃ方向の外形長さＬは、１８０ｍｍとした。また、スリーブ印刷版として、円筒状のＦＲＰからなるスリーブ支持体と、十分に柔軟性を有する樹脂材料からなる版材とを備え、厚さを０．１０ｍｍ、軸線Ｃ方向の外形長さを１９０ｍｍとしたものを用意した。なお、版材には、画像パターンを有する凸版をレーザ加工により形成した。
【００７０】
このスリーブ印刷版を版胴に装着した状態で、スリーブ印刷版の軸線Ｃ方向他方側端部が版胴１の他方側端面よりも略５ｍｍ突出するよう設定した。
またスリーブ印刷版は、版胴への装着前の状態において、版胴の外径Ｄに対するスリーブ印刷版の内径の比が０．９９０〜０．９９９の範囲となるように形成した。
【００７１】
印刷装置の駆動軸に軸支された版胴にスリーブ印刷版を装着し、所定の缶の印刷を行った後、スリーブ印刷版を版胴から取り外した。
このとき、エア圧力４．５〜８．０ｋｇｆ／ｃｍ２の条件で版胴のエア孔からエアを噴出し、スリーブ印刷版がエアの圧力で版胴に対し作業者の補助を要さず自然に軸線Ｃ方向他方側に移動するか否か（以下「版抜け性」と省略する）を確認した。また、印刷した缶に画像の歪みがないかどうかを確認した。
【００７２】
[本発明例２]
版胴として、外径がφ２１６ｍｍに形成されるものを用意した。また、スリーブ印刷版として、この版胴の外径に対するスリーブ印刷版の内径の比が０．９９０〜０．９９９の範囲となるように形成したものを用意した。それ以外は、本発明例１と同様にして確認を行った。
【００７３】
[本発明例３]
スリーブ印刷版の厚さを０．２０ｍｍとし、これ以外の条件を本発明例１と同様にして確認を行った。
【００７４】
[本発明例４]
スリーブ印刷版の厚さを０．２０ｍｍとし、これ以外の条件を本発明例２と同様にして確認を行った。
【００７５】
[本発明例５，７，９，１１，１３，１５，１７，１９，２１，２３]
スリーブ印刷版２の厚さを夫々０．２５ｍｍ、０．３０ｍｍ、０．４０ｍｍ、０．４５ｍｍ、０．５０ｍｍ、０．６０ｍｍ、０．８０ｍｍ、０．９０ｍｍ、１．００ｍｍ及び１．２０ｍｍとした以外は、本発明例３と同様にして確認を行った。
【００７６】
[本発明例６，８，１０，１２，１４，１６，１８，２０，２２]
スリーブ印刷版の厚さを夫々０．２５ｍｍ、０．３０ｍｍ、０．４０ｍｍ、０．４５ｍｍ、０．５０ｍｍ、０．６０ｍｍ、０．８０ｍｍ、０．９０ｍｍ及び１．００ｍｍとした以外は、本発明例４と同様にして確認を行った。
【００７７】
[比較例１，３，５]
スリーブ印刷版の厚さを夫々１．２０ｍｍ、１．５０ｍｍ及び２．００ｍｍとした以外は、本発明例４と同様にして確認を行った。
【００７８】
[比較例２，４]
スリーブ印刷版の厚さを夫々１．５０ｍｍ及び２．００ｍｍとした以外は、本発明例３と同様にして確認を行った。
【００７９】
【表１】
0005331380.tif 000002
【００８０】
表１に示す通り、本発明例１乃至本発明例２３においては、版胴に装着したスリーブ印刷版の他方側が版胴に密着してエアの漏れが防止され、エア孔から噴出されたエアが殆ど軸線方向一方側から外部に放出されることになって版抜け性が確保された。また、特に本発明例５乃至本発明例１８では、印刷物に画像の歪みが全く見受けられず、印刷精度も十分に確保された。
【００８１】
一方、比較例１乃至比較例５においては、版胴に装着したスリーブ印刷版の他方側端部からエアが多く漏れ出し、エアが他方側と一方側とに分散して放出された。そのため、版抜け性が悪く、作業者がスリーブ印刷版の移動を全て補助しなければ、取り外すことができなかった。
【実施例２】
【００８２】
次に、スリーブ印刷版の内径Ｄ及びスリーブ印刷版Ｐの重量と、スリーブ印刷版の抜け性との関係を評価した。印刷装置の駆動軸に軸支された版胴に装着されたスリーブ印刷版を版胴から取り外した。このとき、エア圧力４．５〜８．０ｋｇｆ／ｃｍ２の条件で版胴のエア孔からエアを噴出し、スリーブ印刷版がエアの圧力で版胴に対し作業者の補助を要さず自然に軸線Ｃ方向他方側に移動するか否かを評価した。
結果を表２に示す。
【００８３】
【表２】
0005331380.tif 000003
【００８４】
内径Ｄが大きくなるほど、抜け性の良いスリーブ印刷版の重量Ｐの上限値が重くなることが確認される。良好な抜け性を確保するためには、スリーブ印刷版の重量Ｐが、内径Ｄに対して、Ｐ≦６．２５×Ｄ−５４０の関係を有するように、材質及び厚さ等を設定することが好ましいことが確認された。
【図面の簡単な説明】
【００８５】
【図１】本発明の第１の実施形態に係る版胴の概略構成を示す正面図及び側断面図である。
【図２】本発明の第１の実施形態に係る版胴及びスリーブ印刷版の概略構成を示す分解斜視図である。
【図３】本発明の第１の実施形態に係る版胴へのスリーブ印刷版の装着手順を説明する部分側断面図である。
【図４】本発明の第１の実施形態であるスリーブ印刷版の取り外し方法の手順を説明する部分側断面図である。
【図５】本発明の第１の実施形態に係る缶の印刷装置を示す概略図である。
【図６】本発明の第２の実施形態に係る版胴及びスリーブ印刷版の軸線方向他方側端部近傍の概略構成を示す部分側断面図である。
【図７】本発明の他の実施形態に係るスリーブ印刷版の軸線方向他方側端部近傍の概略構成を示す部分側断面図である。
【符号の説明】
【００８６】
１，３１  版胴
２，３２  スリーブ印刷版
１７ａ，１７ｂ  エア孔
５０  缶の印刷装置
Ｃ  軸線
ｄ  版胴の外径
Ｌ  版胴の軸線Ｃ方向の外形長さ
Ｔ  スリーブ印刷版の内周面と版胴の外周面との接触領域
【図１】
0005331380.tif 000004
【図２】
0005331380.tif 000005
【図３】
0005331380.tif 000006
【図４】
0005331380.tif 000007
【図５】
0005331380.tif 000008
【図６】
0005331380.tif 000009
【図７】
0005331380.tif 000010